(57)【特許請求の範囲】
【請求項１】
複数の車両にそれぞれ搭載される車載端末装置であって、
迎車を依頼する顧客が有する顧客端末装置から入力された顧客の迎車依頼情報を、自車両に割り当てられた固有のメールアドレス宛のメールによって受信する受信手段と、
前記受信手段が受信したメールの迎車依頼情報中に含まれる迎車位置情報に基づいて、顧客が依頼する迎車指定場所を生成して表示する表示手段と、
前記表示手段に表示された迎車指定場所に対する迎車依頼に応じる場合に操作される操作手段と、
前記操作手段が操作された場合に、前記迎車依頼情報中に含まれる前記顧客端末装置のメールアドレス宛のメールで、前記車両の車両番号等の車両識別情報を含む迎車可能情報を前記顧客端末装置に直接出力する迎車可能情報出力手段とを有することを特徴とする車載端末装置。
【請求項２】
請求項１に記載の車載端末装置において、
前記操作手段が操作された場合に、前記迎車可能情報中に含まれる車両識別情報以外の車両識別情報を有する各車両にそれぞれ対応するメールアドレス宛に、前記迎車依頼に応じる旨を示す迎車応答情報をメールで出力する迎車応答情報出力手段と、
前記迎車応答情報出力手段により出力された迎車応答情報の自メールアドレス宛のメールを受信する迎車応答情報受信手段と、
前記迎車応答情報受信手段により迎車応答情報のメールが受信された場合に、前記迎車応答情報のメールの送信元の車両が迎車依頼に応じたことを報知する報知手段とを更に有することを特徴とする車載端末装置。
【請求項３】
請求項２に記載の車載端末装置において、
前記報知手段が前記報知を行った際に、報知対象の迎車依頼と同じ迎車依頼に関する前記迎車可能情報出力手段による迎車可能情報の出力を禁止する出力禁止手段を更に有することを特徴とする車載端末装置。
【請求項４】
迎車を依頼する顧客が顧客端末装置から入力した迎車依頼情報中に含まれる迎車位置情報に基づいて、顧客が依頼する迎車指定場所に迎車の車両を配車するための方法であって、
前記迎車依頼情報を、各車両にそれぞれ割り当てた固有のメールアドレス宛のメールによって、各車両にそれぞれ搭載した車載端末装置に送信するステップと、
各車両の車載端末装置により、自車両に割り当てられた固有のメールアドレス宛のメールを受信するステップと、
前記受信したメールから抽出した前記迎車依頼情報中に含まれる前記迎車位置情報に基づいて、前記迎車指定場所を車載端末装置の表示手段に表示させるステップと、
前記迎車指定場所に対する迎車依頼に応じる操作手段の操作に呼応して、前記迎車依頼情報中に含まれる前記顧客端末装置のメールアドレス宛のメールで、前記車両の車両番号等の車両識別情報を含む迎車可能情報を前記顧客端末装置に直接送信するステップと、
を含むことを特徴とする迎車車両の配車方法。
【発明の詳細な説明】
【技術分野】
【０００１】
本発明は、車両に固有に割り当てられた車両識別情報を車両の迎車を依頼する顧客が有する顧客端末装置に出力可能な車載端末装置及び迎車車両の配車方法に関する。
【背景技術】
【０００２】
従来、顧客が車両（例えば、タクシー）の迎車を依頼する場合、顧客は車両を配車する会社（配車センター）へ電話をし、配車センターは無線により特定の車両へ迎車を指示することにより依頼した顧客の元へ車両を配車していた。
【０００３】
しかしながら、上述した配車方法では、配車センターは無線機を介して音声により特定の車両へ迎車を指示しているため、迎車場所等の聞き間違いが発生する等、効率的に配車を行えないという問題があった。
【０００４】
そこで、インターネットを利用して効率的に車両（例えば、タクシー）を配車する方法として、例えば、特開２００２−１５７３０８号公報（特許文献１）に記載されたタクシー配車システムが提案されている。
【０００５】
このインターネットを利用したタクシー配車システムは、車両に搭載されてインターネット使用可能な小型端末により、車両の現在地等の現車情報を配車センターに通知し、配車センターは、小型端末より送られてきた現車情報を電子掲示板に表示する。
【０００６】
そして、顧客が車両の迎車を依頼する場合、顧客はインターネットを使用して配車センターのサーバにアクセスし、電子掲示板の現車情報を閲覧することにより迎車可能な車両を探して車両に搭載された小型端末へ直接メールを送信する。
【０００７】
顧客からのメールを受けた車両の運転者は、顧客の迎車依頼に応じられる場合、小型端末から顧客へその旨を通知して顧客が指定する場所へ向かうため、配車センターは効率的に配車を行うことができる。
【先行技術文献】
【特許文献】
【０００８】
【特許文献１】特開２００２−１５７３０８号公報
【発明の概要】
【発明が解決しようとする課題】
【０００９】
ところで、上述したインターネットを利用したタクシー配車システムでは、顧客からのメールを受けた車両の運転者が顧客の迎車依頼に応じられない場合、顧客は迎車依頼に応じられる車両が見つかるまで小型端末へメールを送信しなければならない。このため、迎車依頼に対する利便性が低下するという問題が発生する。
【００１０】
そこで、本発明はこのような従来の課題を解決するためになされたものであり、その目的とするところは、迎車依頼に対する利便性を向上した車載端末装置及び迎車車両の配車方法を提供することにある。
【課題を解決するための手段】
【００１１】
上記目的を達成するため、本願請求項１に記載した本発明の車載端末装置は、複数の車両にそれぞれ搭載される車載端末装置であって、迎車を依頼する顧客が有する顧客端末装置から入力された顧客の迎車依頼情報を、自車両に割り当てられた固有のメールアドレス宛のメールによって受信する受信手段と、前記受信手段が受信したメールの迎車依頼情報中に含まれる迎車位置情報に基づいて、顧客が依頼する迎車指定場所を生成して表示する表示手段と、前記表示手段に表示された迎車指定場所に対する迎車依頼に応じる場合に操作される操作手段と、前記操作手段が操作された場合に、前記迎車依頼情報中に含まれる前記顧客端末装置のメールアドレス宛のメールで、前記車両の車両番号等の車両識別情報を含む迎車可能情報を前記顧客端末装置に直接出力する迎車可能情報出力手段とを有することを特徴とする。
【００１２】
なお、請求項１に記載の車載端末装置の変形例として、
前記操作手段は、車両が迎車状態であることを示す迎車タリフが割り当てられた操作スイッチであることを特徴とする車載端末装置とすることもできる。
【００１３】
請求項２に記載した本発明の車載端末装置は、請求項１に記載の車載端末装置や、上記したその変形例の車載端末装置において、前記操作手段が操作された場合に、前記迎車可能情報中に含まれる車両識別情報以外の車両識別情報を有する各車両にそれぞれ対応するメールアドレス宛に、前記迎車依頼に応じる旨を示す迎車応答情報をメールで出力する迎車応答情報出力手段と、前記迎車応答情報出力手段により出力された迎車応答情報の自メールアドレス宛のメールを受信する迎車応答情報受信手段と、前記迎車応答情報受信手段により迎車応答情報のメールが受信された場合に、前記迎車応答情報のメールの送信元の車両が迎車依頼に応じたことを報知する報知手段とを更に有することを特徴とする。
【００１４】
請求項３に記載した本発明の車載端末装置は、請求項２に記載の車載端末装置において、前記報知手段が前記報知を行った際に、報知対象の迎車依頼と同じ迎車依頼に関する前記迎車可能情報出力手段による迎車可能情報の出力を禁止する出力禁止手段を更に有することを特徴とする。
【００１５】
なお、請求項３に記載した本発明の車載端末装置の変形例として、前記報知手段は、前記報知の際に、前記迎車可能情報出力手段が迎車可能情報の出力を禁止したことを示す出力禁止情報を前記表示手段に表示することを特徴とする車載端末装置とすることもできる。
【００１６】
請求項４に記載した本発明の迎車車両の配車方法は、迎車を依頼する顧客が顧客端末装置から入力した迎車依頼情報中に含まれる迎車位置情報に基づいて、顧客が依頼する迎車指定場所に迎車の車両を配車するための方法であって、前記迎車依頼情報を、各車両にそれぞれ割り当てた固有のメールアドレス宛のメールによって、各車両にそれぞれ搭載した車載端末装置に送信するステップと、各車両の車載端末装置により、自車両に割り当てられた固有のメールアドレス宛のメールを受信するステップと、前記受信したメールから抽出した前記迎車依頼情報中に含まれる前記迎車位置情報に基づいて、前記迎車指定場所を車載端末装置の表示手段に表示させるステップと、前記迎車指定場所に対する迎車依頼に応じる操作手段の操作に呼応して、前記迎車依頼情報中に含まれる前記顧客端末装置のメールアドレス宛のメールで、前記車両の車両番号等の車両識別情報を含む迎車可能情報を前記顧客端末装置に直接送信するステップとを含むことを特徴とする。
【００１７】
なお、請求項４に記載した本発明の迎車車両の配車方法の変形例として、前記迎車依頼に応じる操作手段の操作に呼応して、前記迎車可能情報中に含まれる車両識別情報以外の車両識別情報を有する各車両にそれぞれ対応するメールアドレス宛に、前記迎車依頼に応じる旨を示す迎車応答情報をメールで出力するステップと、前記迎車応答情報の自メールアドレス宛のメールを受信するステップと、前記受信した迎車応答情報のメールの送信元の車両が迎車依頼に応じたことを報知するステップとを更に含むことを特徴とする迎車車両の配車方法とすることもできる。
【００１８】
また、請求項４の変形例に係る迎車車両の配車方法の変形例として、前記迎車応答情報のメールの受信後に、前記迎車応答情報によって示される前記迎車依頼と同じ迎車依頼に関する前記迎車可能情報の、前記顧客端末装置のメールアドレス宛のメールによる送信を禁止するステップを更に含むことを特徴とする迎車車両の配車方法とすることもできる。
【発明の効果】
【００１９】
請求項１に記載した本発明の車載端末装置と、請求項４に記載した本発明の迎車車両の配車方法によれば、顧客が顧客端末装置から入力した迎車依頼情報のメールが各車両の車載端末装置に固有のメールアドレス宛に送信されると、各車両の車載端末装置が自メールアドレス宛のメールをそれぞれ受信し、迎車依頼情報中の迎車指定場所を表示手段に表示させる。
【００２０】
迎車指定場所への迎車依頼に応じる操作を操作手段により行うと、車両識別情報を含む迎車可能情報が、迎車依頼情報中に含まれる顧客端末装置のメールアドレス宛にメールで送信される。
【００２１】
したがって、顧客は迎車依頼情報を一度顧客端末装置から入力すれば、迎車依頼に応じる車両からの迎車可能情報のメールが届くまで、各車両に個別に迎車依頼情報を送信する必要がない。
【００２２】
また、操作手段を操作すると、迎車依頼情報を出力した顧客端末装置に対して車両識別情報を含む迎車可能情報をメールで出力するため、簡単な操作で顧客に迎車可能情報のメールを出力することができ、また、短時間で迎車依頼に応じることができる。
【００２３】
従って、迎車依頼に対する利便性を向上することができる。
【００２４】
なお、請求項１の変形例に係る車載端末装置によれば、操作手段は、車両が迎車状態であることを示す迎車タリフが割り当てられた操作スイッチで構成されている。このため、車載端末装置を迎車状態に切り替るとともに、顧客端末装置に車両識別情報を含む迎車可能情報をメールで出力することができる。
【００２５】
このため、車両の運転者が顧客の迎車依頼に応じる際に作業数を少なくすることができ、運転者の利便性を向上することができる。
【００２６】
請求項２に記載した本発明の車載端末装置や、請求項４に記載した本発明の迎車車両の配車方法の変形例によれば、操作手段が操作された場合に、迎車可能情報のメールを顧客端末装置に出力した車両以外の車両に搭載された車載端末装置に対して、迎車依頼に応じる旨を示す迎車応答情報をメールで出力する。
【００２７】
そして、迎車可能情報のメールを顧客端末装置に出力した車両以外の車両では、車載端末装置が迎車応答情報をメールで受信した場合に、迎車応答情報のメールの送信元の車両が迎車依頼に応じたことを報知する。このため、その車両の運転者が迎車依頼に応じることができないことを容易に把握することができる。
【００２８】
従って、迎車依頼に対する利便性を向上することができる。
【００２９】
請求項３に記載した本発明の車載端末装置と、請求項４の変形例に係る迎車車両の配車方法の変形例によれば、迎車応答情報をメールで受信した車両では、車載端末装置が迎車可能情報のメールを顧客端末装置に出力することを禁止する。このため、顧客端末装置に複数の車両から迎車可能情報のメールが届くことがなく、さらに、迎車依頼に対する利便性を向上することができる。
【００３０】
請求項３に記載した本発明の車載端末装置の変形例によれば、迎車可能情報のメールによる顧客端末装置への出力を禁止したことを示す出力禁止情報を表示手段に表示して、他の車両の車載端末装置が迎車可能情報をメールで顧客端末装置に出力したことを報知する。このため、車両の運転者は、表示手段を視認することにより、迎車依頼に応じることができないことを容易に把握することができ、迎車依頼に対する利便性を向上することができる。
【図面の簡単な説明】
【００３１】
【図１】本発明の実施形態に係る車載端末装置を用いた配車方法を説明するための構成図である。
【図２】本発明の実施形態に係る車載端末装置を示す正面図である。
【図３】本発明の実施形態に係る迎車依頼情報を送信する携帯端末のディスプレイの表示を示す平面図である。
【図４】本発明の実施形態に係る車載端末装置の電気的な構成を示すブロック図である。
【図５】本発明の実施形態に係る車載端末装置の迎車情報処理を示すフローチャートである。
【図６】本発明の実施形態に係る車載端末装置の迎車可能情報出力禁止処理を示すフローチャートである。
【発明を実施するための形態】
【００３２】
以下、本発明の実施形態について図面を参照して説明する。はじめに、図１を参照して、本発明の実施形態に係る車載端末装置を用いた配車方法について説明する。図１は、本発明の実施形態に係る車載端末装置を用いた配車方法を説明するための構成図である。
【００３３】
本発明の実施形態に係る車載端末装置（タクシーメータ）は、複数の車両（タクシー）毎に搭載される装置であって、カーナビゲーション装置と無線公衆電話回線網によるデータ通信端末装置とを一体化した複合型のものである。
【００３４】
このタクシーメータは、他のタクシーメータと、タクシーの迎車を依頼する顧客が有する顧客端末装置（携帯端末）との間で通信可能に接続されている。
【００３５】
図１に示すように、本発明の実施形態に係る車載端末装置を用いた配車方法１は、複数のタクシー２に搭載されたタクシーメータ１１と、タクシー２の迎車を依頼する顧客が有する携帯端末４１と、複数の車両２の運行を管理する配車センター３とから略構成されている。
【００３６】
複数のタクシー２に搭載されたタクシーメータ１１のデータ通信端末装置には、搭載先のタクシー２に固有に割り当てられたメールアドレスが割り当てられている。
【００３７】
そして、このタクシーメータ１１は、搭載先のタクシー２の車両番号等の車両識別情報を、タクシー２の迎車を依頼する顧客が有する携帯端末４１に、メールで送信可能に構成されている。
【００３８】
携帯端末４１は、配車センター３が配車サービスを提供するエリア内において、タクシー２の迎車を依頼することができる。
【００３９】
配車センター３は、サーバを有しており、このサーバは、インタフェースを介して周知のインターネット４に接続されている。
【００４０】
タクシー２の迎車を依頼する場合、顧客は携帯端末４１により無線を利用した公衆電話回線網（パケット通信）により、無線基地５とインターネット４とを介して配車センター３が管理するサーバにアクセスする。
【００４１】
サーバにアクセスした携帯端末４１は、アプリケーションを実行する。このアプリケーションにより、顧客は、迎車指定場所の住所、迎車台数、迎車時刻、顧客の氏名、携帯端末４１のメールアドレス等の迎車依頼情報を入力する。
【００４２】
そして、入力された迎車依頼情報は、アプリケーションで設定されたメールアドレスに送信することにより、配車センター３へ送信される。あるいは、パケット通信でデータのまま配車センター３に送信してもよい。このとき、迎車指定場所の住所は、緯度経度の値に変換して送信される。
【００４３】
送信された迎車依頼情報は、配車センター３によりインターネット５と無線基地４とを介して所定のタクシー（配車センターが契約する車両、迎車を提供するエリア内を営業区域とする車両）２に搭載されたタクシーメータ１１へ送信する。
【００４４】
ここで、複数のタクシー２に搭載されたタクシーメータ１１のデータ通信端末装置には、それぞれ固有のメールアドレスが割り当てられている。また、このメールアドレスは予め配車センター３のパーソナルコンピュータに記憶されている。
【００４５】
このため、配車センター３は、携帯端末４１から送信された迎車依頼情報をメールで自動的にタクシーメータ１１へ送信する。
【００４６】
迎車依頼情報のメールをデータ通信端末装置により受信したタクシーメータ１１は、迎車依頼情報に基づいて顧客が依頼する迎車指定場所を表示器１２に表示する。この迎車指定場所に対する迎車依頼に応じる場合、タクシー２の運転者が後述する迎車スイッチ１７を操作する。
【００４７】
この迎車スイッチ１７が操作されると、タクシーメータ１１は迎車状態に切り替えられる。また、タクシーメータ１１は、迎車依頼情報に含まれるメールアドレスに基づいて、携帯端末４１に車両識別情報（車両番号等）を含む迎車可能情報を直接メールで送信する。
【００４８】
また、後述する迎車スイッチ１７が操作されると、迎車可能情報に含まれる車両識別情報以外の車両識別情報を有する所定の車両に搭載されたタクシーメータ１１（つまり、他のタクシー２に搭載されたタクシーメータ１１）に対して、迎車情報に応じる迎車応答情報を直接メールで送信する。
【００４９】
迎車応答情報のメールをデータ通信端末装置で受信したタクシーメータ１１は、後述する迎車スイッチ１７の操作が禁止（無効化）される。このため、迎車可能情報のメール送信が禁止される。また、迎車可能情報の出力を禁止する出力禁止情報が表示器１２に表示される。
【００５０】
これにより、迎車応答情報を受信したタクシーメータ１１を搭載したタクシー２の運転者は、他のタクシー２が携帯端末４１へ迎車可能情報のメールを送信したこと（他のタクシー２の運転者が迎車依頼応じたこと）が報知される。
【００５１】
迎車応答情報を受信したため、後述する迎車スイッチ１７の操作が禁止（無効化）されたタクシーメータ１１は、後述する解除スイッチ１９を操作することにより、迎車スイッチ１７の操作の禁止（無効化）が解除される。
【００５２】
上述したように、タクシーメータ１１が迎車応答情報をメールで受信した場合に、所定のタクシー２に迎車可能情報をメールで送信して報知する。このため、携帯端末４１に対して複数のタクシー２から迎車可能情報のメールが送信されることがなく、顧客が迎車可能なタクシー２を選択する必要がない。
【００５３】
また、所定のタクシー２に迎車可能情報をメールで送信して報知するため、迎車可能情報をメールで送信したタクシー２以外のタクシー２の運転者が迎車依頼に応じることができないことを容易に把握することができる。
【００５４】
さらに、迎車可能情報のメール送信を禁止することにより、所定のタクシー２が迎車可能情報をメールで送信したことを報知するため、より迎車依頼に対する利便性を向上することができる。
【００５５】
次に、本発明の実施形態に係る車載端末装置について詳細に説明する。図２は、本発明の実施形態に係る車載端末装置を示す正面図である。
【００５６】
図２に示すように、タクシーメータ（車載端末装置）１１は、地図等を表示する表示器（表示手段）１２と、タクシー（車両）の運転者が操作する複数の操作スイッチ１３とから略構成されている。
【００５７】
表示器（表示手段）１２は、液晶表示装置等が用いられ、タクシーの現在位置を示す地図、顧客がタクシーの迎車を依頼する迎車指定場所、タリフ状態、車両の走行料金等の情報が表示される。操作スイッチ１３は、例えば、プッシュスイッチ等が用いられている。
【００５８】
この操作スイッチ１３は、車両が乗客待ち等の空車状態であることを示す空車タリフが割り当てられた空車スイッチ１４と、車両が賃走時であることを示す実車タリフが割り当てられた実車スイッチ１５と、車両が割増運転時であることを示す割増タリフが割り当てられた割増スイッチ１６とを有している。
【００５９】
また、操作スイッチ１３は、乗客（顧客）を迎えに行く際に車両が迎車状態であることを示す迎車タリフが割り当てられた迎車スイッチ１７と、顧客から車両の走行料金を受け取る時に設定された支払タリフが割り当てられた支払スイッチ１８とを有している。
【００６０】
なお、本発明の実施形態に係る迎車スイッチ１７は、表示器１２に表示された迎車指定場所に対する迎車依頼に応じる場合に操作される操作手段として機能する。
【００６１】
さらに、操作スイッチ１３は、解除スイッチ１９を有している。この解除スイッチ１９を操作すると、上述したように、迎車応答情報を受信したために迎車スイッチ１７の操作が禁止（無効化）された場合に操作の禁止が解除される。
【００６２】
このように、タクシー２（図１参照）の運転者は、操作スイッチ１３のうち、所望のスイッチを選択することにより、タクシー２の現在の運転状態等を設定することができる。
【００６３】
また、操作スイッチ１３のうち、所望のスイッチが選択されると、表示器１２等にはタクシー２の現在の運転状態等が表示される。例えば、空車スイッチ１３が選択された場合には、表示器１２やウインドディスプレイ（図示省略）等に「空車」の文字が表示される。
【００６４】
上記のように構成されたタクシーメータ１１は、カーナビゲーション装置と無線公衆電話回線網によるデータ通信端末装置とが一体化されており、後で図４を参照して説明するように、位置情報取得手段（ＧＰＳ受信機器等）２９等が搭載されている。
【００６５】
このため、ＧＰＳ衛星から受信した信号から得られる位置座標データを基に現在地を割り出し、この現在地から目的地までの距離と方位を表示器１２に表示することができる。
【００６６】
次に、図３を参照して、本発明の実施形態に係る迎車依頼情報について詳細に説明する。図３は、本発明の実施形態に係る迎車依頼情報を送信する携帯端末のディスプレイの表示を示す平面図である。
【００６７】
図３に示すように、携帯端末４１は、迎車依頼情報等を表示するディスプレイ４２を有している。このディスプレイ４２には、配車センター３（図１参照）が配車サービスを提供するエリア内において利用することが可能なアプリケーションを実行することにより、顧客が迎車依頼情報を入力する迎車依頼情報入力画面４３が表示される。
【００６８】
迎車依頼情報入力画面４３には、迎車指定場所の住所、迎車台数、迎車時刻、顧客の氏名、携帯電話メールメールアドレスを入力するための画面が表示され、顧客が携帯端末４１を操作することにより入力する。
【００６９】
迎車依頼情報入力画面４３により、迎車依頼情報を入力した後、顧客が確認ボタン４４を操作することにより、迎車依頼情報確認画面４５が表示される。そして、顧客が携帯端末４１により送信ボタン４６を操作すると、迎車依頼情報確認画面４５に表示された迎車依頼情報がメールで（又はデータのままで）送信される。
【００７０】
一方、顧客が携帯端末４１により戻るボタン４７を操作すると、迎車依頼情報入力画面４３に戻るため、迎車依頼情報確認画面４５に表示された情報の訂正等を行うことができる。
【００７１】
次に、図４を参照して、本発明の実施形態に係る車載端末装置の詳細な構成について説明する。図４は、本発明の実施形態に係る車載端末装置の電気的な構成を示すブロック図である。
【００７２】
図４に示すように、タクシーメータ１１は、該タクシーメータ１１全体を制御すると共に、後述する迎車情報処理又は迎車可能情報出力禁止処理を制御する中央演算処理装置（ＣＰＵ）２１を備えている。
【００７３】
ＣＰＵ２１には、ＲＯＭ（ｒｅａｄ  ｏｎｌｙ  ｍｅｍｏｒｙ）２２と、ＲＡＭ（ｒａｎｄｏｍ  ａｃｃｅｓｓ  ｍｅｍｏｒｙ）２３と、カードＲ／Ｗ（リーダライタ）インタフェース（Ｉ／Ｆ）２４とが接続されている。
【００７４】
また、ＣＰＵ２１には、表示器（ＬＣＤ（Ｌｉｑｕｉｄ  Ｃｒｙｓｔａｌ  Ｄｉｓｐｌａｙ））２５と、ＲＴＣ（時計ＩＣ（Ｉｎｔｅｇｒａｔｅｄ  Ｃｉｒｃｕｉｔ））２６と、解除スイッチ１９とが接続されている。
【００７５】
また、車載端末装置１１は、複数のインタフェース（Ｉ／Ｆ）３１から３３を有し、外部機器（通信モジュール、データ通信端末装置）２７と、外部機器（プリンタ）２８と、位置情報取得手段（ＧＰＳ（ｇｌｏｂａｌ  ｐｏｓｉｔｉｏｎｉｎｇ  ｓｙｓｔｅｍ）受信機器等）２９、ＥＴＣ（ｅｌｅｃｔｒｏｎｉｃ  ｔｏｌｌ  ｃｏｌｌｅｃｔｉｏｎ）車載器３０の各々とＣＰＵ２１との接続が可能な構成となっている。
【００７６】
ＣＰＵ２１は、ＲＯＭ２２に記憶されている各種制御プログラムにしたがって、本実施形態に係る制御を含む各種の処理を実行する。
【００７７】
ＲＯＭ２２は、上記制御プログラムや車両の走行料金を示す料金情報等の各種情報を記憶している。また、ＲＡＭ２３は、ＣＰＵ１１が各種の処理を実行する上において必要なデータ、プログラム等が適宜記憶される。
【００７８】
カードＲ／Ｗ（リーダライタ）インタフェース（Ｉ／Ｆ）２４は、挿入されたメモリカード２５に指定されたデータ等の書き込み、読み込みを行う。
【００７９】
また、メモリカード２５は、ＣＰＵ２１によって、迎車動作を実行した回数等を含む車両の運行データが書き込まれている。このメモリカード２５は、運行データを解析する解析装置に接続することにより運行データを解析装置に取り込むことができる。
【００８０】
表示器（ＬＣＤ）１２は、ＣＰＵ２１からの要求に応じて車両の現在位置や顧客が依頼する迎車指定場所等、ＣＰＵ２１からの要求に応じて各種情報の表示を行う。
【００８１】
なお、本発明の実施形態に係る表示器１２は、外部機器（通信モジュール）２７により入力された迎車依頼情報に基づいて顧客が依頼する迎車指定場所を表示する表示手段として機能する。
【００８２】
ＲＴＣ（時計ＩＣ）２６は、日時、時刻等の時計データをＣＰＵ２１に出力する。解除スイッチ１９は、迎車応答情報を受信したために迎車スイッチ１７の操作が禁止（無効化）された場合に操作することにより禁止を解除する。
【００８３】
外部機器（通信モジュール、データ通信端末装置）２７は、携帯端末４１から出力された迎車依頼情報の入力、携帯端末４１に対して車両識別情報を含む迎車可能情報の出力、他のタクシーメータ１１に対して迎車応答情報の出力、他のタクシーメータ１１からの迎車応答情報の入力等を行う。
【００８４】
これにより、本発明の実施形態に係る外部機器（通信モジュール、データ通信端末装置）２７は、迎車を依頼する顧客が有する携帯端末４１から入力された顧客の迎車依頼情報を、自タクシー２に割り当てられた固有のメールアドレス宛のメールによって受信する受信手段、迎車スイッチ１７が操作された場合に、迎車依頼情報中に含まれる携帯端末４１のメールアドレス宛に、車両識別情報を含む迎車可能情報をメールで出力する迎車可能情報出力手段として機能する。
【００８５】
また、本発明の実施形態に係る外部機器（通信モジュール、データ通信端末装置）２７は、迎車スイッチ１７が操作された場合に、迎車可能情報中に含まれる車両識別情報以外の車両識別情報を有する各タクシー２に搭載されたタクシーメータ１１にそれぞれ対応するメールアドレス宛に、迎車依頼に応じる旨を示す迎車応答情報をメールで出力する迎車応答情報出力手段と、この迎車応答情報出力手段により出力された迎車応答情報の自メールアドレス宛のメールを受信する迎車応答情報受信手段として機能する。
【００８６】
外部機器（プリンタ）２８は、インタフェース３１を解してＣＰＵ１１に接続されている。外部機器２８は、ＣＰＵ１１の制御によってタクシー料金の支払い時に領収書等を出力する。
【００８７】
位置情報取得手段（ＧＰＳ受信機器等）２９は、搭載された車両の現在位置を検出するために複数の人工衛星が発射する電波を受信して、インタフェース３２を介して車両の位置情報をＣＰＵ２１に出力している。
【００８８】
ＥＴＣ車載器３０は、有料道路上のゲートに設置された無線式の料金処理装置との間で無線通信を行い、装着されたカードに記憶されている電子現金情報によって有料道路における通行料金の自動収受を行う自動料金収受システム（ＥＴＣ）に用いられる。
【００８９】
また、ＣＰＵ２１には、車両の速度に対応したスピード入力信号が入力される。そして、ＣＰＵ２１は、この入力されたスピード入力信号に基づいて車両の走行距離を算出し、この走行距離に基づいた車両走行料金等を算出して表示器１２に表示する。
【００９０】
さらに、ＣＰＵ２１には、操作スイッチ１３（図１参照）の操作に応じたタリフ状態のデータが入力される。ＣＰＵ１１は、この操作スイッチ１３の押圧操作に応じて、車両の現在の運転状態を表示器１２に表示する。
【００９１】
そして、ＣＰＵ２１は、外部機器（通信モジュール、データ通信端末装置）２７により入力された迎車依頼情報に基づいて顧客が依頼する迎車指定場所を表示器１２に表示するため、迎車依頼情報に基づいて迎車指定場所を生成する処理を行う。
【００９２】
上述した本発明の実施形態に係るＣＰＵ２１は、外部機器（通信モジュール、データ通信端末装置）２７により迎車応答情報が入力された場合に、所定のタクシー２が外部機器（通信モジュール、データ通信端末装置）２７により迎車可能情報を出力したことを報知する報知手段として機能する。
【００９３】
また、本発明の実施形態に係るＣＰＵ２１は、外部機器（通信モジュール、データ通信端末装置）２７による迎車可能情報の出力を禁止する出力禁止手段として機能する。
【００９４】
このため、ＣＰＵ２１は、迎車可能情報の出力を禁止することにより所定のタクシー２が外部機器（通信モジュール、データ通信端末装置）２７により迎車可能情報を出力したこと（他のタクシー２の運転者が迎車依頼応じたこと）を報知する。
【００９５】
また、本発明の実施形態に係るＣＰＵ２１は、外部機器（通信モジュール、データ通信端末装置）２７による迎車可能情報の出力を禁止する出力禁止情報を生成して表示器１２に表示する。これにより、ＣＰＵ２１は、所定のタクシー２が外部機器（通信モジュール、データ通信端末装置）２７により迎車可能情報を出力したこと（他のタクシー２の運転者が迎車依頼応じたこと）を報知する。
【００９６】
次に、本発明の実施形態に係る車載端末装置１１の動作を、図５及び図６に示すフローチャートを参照して説明する。図５は、本発明の実施形態に係る車載端末装置の迎車情報処理を示すフローチャートである。図６は、本発明の実施形態に係る車載端末装置の迎車可能情報出力禁止処理を示すフローチャートである。
【００９７】
はじめに、図５を参照して、本発明の実施形態に係る車載端末装置の迎車情報処理について詳細に説明する。
【００９８】
ＣＰＵ２１は、通信モジュール（データ通信端末装置）２７（図４参照）により、顧客から送信された迎車依頼情報のメールを受信して、位置情報取得手段（ＧＰＳ受信機器等、図４参照）２９により、目的地座標データ等を受信する（ステップＳ１０１）。
【００９９】
目的地座標データは、顧客の有する携帯端末４１のＧＰＳ機能を付加したメールを受信することにより取得、又は、顧客が携帯端末４１を操作することにより入力した迎車指定場所（図３参照）の住所に基づいて緯度経度の値に変換されたデータから取得する。
【０１００】
次に、ＣＰＵ２１は、顧客が送信した迎車依頼情報のメールに基づいて、表示器１２（図１参照）に迎車確認画面表示、迎車地表示を行う（ステップＳ１０２）。つまり、ＣＰＵ２１は、表示器１２に、顧客が送信した迎車依頼情報のメールに基づいて、迎車指定場所の地図、迎車台数、迎車時刻等を表示する。
【０１０１】
次に、ＣＰＵ２１は、迎車可能か否かを判定する（ステップＳ１０３）。つまり、ＣＰＵ２１は、迎車スイッチ１７を操作することにより、表示器１２に表示された迎車指定場所に対応する迎車依頼に応じたか否かを判断する。
【０１０２】
ＣＰＵ２１は、迎車可能ではないと判断した場合（ステップＳ１０３：ＮＯ）、つまり、迎車スイッチ１７を操作していないと判断した場合には、迎車不可情報に迎車不可メッセージを添付して（ステップＳ１０４）、処理をステップＳ１０７へ移す。
【０１０３】
なお、多数のタクシー２が迎車不可情報をメールで顧客の携帯端末４１に送信すると、顧客の携帯端末４１が多数のメールを受信するおそれがある場合には、迎車不可情報を送信せずに処理をステップＳ１０１へ移すように処理してもよい。
【０１０４】
一方、ＣＰＵ２１は、迎車可能であると判断した場合（ステップＳ１０３：ＹＥＳ）、つまり、迎車スイッチ１７を操作したと判断した場合には、迎車可能情報に迎車可能メッセージを添付する（ステップＳ１０５）。この迎車可能メッセージには、車両識別情報（車両番号等）が含まれている。
【０１０５】
次に、ＣＰＵ２１は、迎車スイッチ（操作手段）１７の操作に基づいてタクシーメータ１１を迎車状態に切り替える（ステップＳ１０６）。ＣＰＵ２１は、タクシーメータ１１を迎車状態に切り替えると、表示器１２にタクシー２が顧客を迎えに行く迎車状態であることを表示する。
【０１０６】
メータを迎車に切り替えると、ＣＰＵ２１は、顧客へメールを送信する（ステップＳ１０７）。つまり、ＣＰＵ２１は、ステップＳ１０１で受信した迎車依頼情報に含まれるメールアドレスに基づいて、携帯端末４１に車両識別情報（車両番号等）を含む迎車可能情報を直接メールで送信する。
【０１０７】
このように、操作手段は、タクシー２が迎車状態であることを示す迎車タリフが割り当てられた迎車スイッチ１７で構成されている。このため、タクシーメータ１１を迎車状態に切り替るとともに、携帯端末４１に車両識別情報を含む迎車可能情報を出力することができる。
【０１０８】
次に、ＣＰＵ２１は、周辺車両へメールを送信する（ステップＳ１０８）。つまり、ＣＰＵ２１は、迎車可能情報に含まれる車両識別以外の車両識別情報を有する所定の車両に搭載されたタクシーメータ１１（つまり、他のタクシー２に搭載されたタクシーメータ１１）に対して、迎車情報に応じる迎車応答情報を直接メールで送信する。この処理を終了すると、ＣＰＵ２１は、処理をステップＳ１０１へ戻す。
【０１０９】
このように、タクシーメータ１１に迎車応答情報が入力された場合に、所定のタクシー２が迎車可能情報を出力したことを報知する。このため、携帯端末４１に複数のタクシー２から迎車可能情報が入力されることがなく、顧客が迎車可能な車両を選択する必要がない。
【０１１０】
また、操作手段（迎車スイッチ）１７を操作すると、迎車依頼情報を出力した携帯端末４１に対して車両識別情報を含む迎車可能情報を出力するため、簡単な操作で顧客に迎車可能情報を出力することができ、また、短時間で迎車依頼に応じることができる。
【０１１１】
さらに、操作手段（迎車スイッチ）１７が操作された場合に、所定のタクシー２に搭載されたタクシーメータ１１に対して迎車依頼に応じる迎車応答情報を出力するため、迎車可能情報を出力したタクシー２以外のタクシー２の運転者が迎車依頼に応じることができないことを容易に把握することができる。
【０１１２】
次に、図６を参照して、本発明の実施形態に係る車載端末装置の迎車可能情報出力禁止処理について詳細に説明する。
【０１１３】
はじめに、ＣＰＵ２１は、他車両からの迎車可メールを受信したか否かを判断する（ステップＳ２０１）。つまり、ＣＰＵ２１は、図５のステップＳ１０７において送信された迎車情報に応じる迎車応答情報のメールを受信したか否かを判断する。ＣＰＵ２１は、他車両からの迎車可メールを受信していないと判断したときには（ステップＳ２０１：ＮＯ）、他車両からの迎車可メールを受信するまで待機する。
【０１１４】
一方、他車両からの迎車可メールを受信したと判断した場合には（ステップＳ２０１：ＹＥＳ）、迎車可能送信操作を停止する（ステップＳ２０２）。つまり、迎車応答情報を受信したタクシーメータ１１は、迎車スイッチ１７の操作が禁止（無効化）されるため、迎車可能情報のメール送信が禁止される。
【０１１５】
このように、迎車可能情報の出力を禁止することにより、所定のタクシー２が迎車可能情報を出力したことを報知する。このため、携帯端末４１に複数のタクシー２から迎車可能情報が入力されることがなく、さらに、迎車依頼に対する利便性を向上することができる。
【０１１６】
次に、ＣＰＵ２１は、迎車可能情報の出力を禁止する出力禁止情報（メッセージ）を表示器１２に表示する（ステップＳ２０３）。
【０１１７】
このように、迎車可能情報の出力を禁止する出力禁止情報を表示器１２に表示して所定のタクシー２が迎車可能情報を出力したことを報知する。従って、タクシー２の運転者は、表示器１２を視認することにより、迎車可能情報を出力することができないこと（迎車に応じることができないこと）を容易に把握することができる。
【０１１８】
次に、ＣＰＵ２１は、解除スイッチ１９の操作（了解操作）が完了したか否かを判断する（ステップＳ２０４）。つまり、ＣＰＵ２１は、迎車応答情報を受信したために禁止（無効化）された迎車スイッチ１７の操作を解除スイッチ２０により解除したか否かを判断する。
【０１１９】
ＣＰＵ２１は、了解操作が完了していないと判断したときには（ステップＳ２０４：ＮＯ）、了解操作が完了するまで待機する。つまり、ＣＰＵ２１は、解除スイッチ１９の操作が完了するまで待機する。
【０１２０】
一方、了解操作が完了したと判断したときには（ステップＳ２０４：ＹＥＳ）、ＣＰＵ２１は、ステップＳ２０１へ処理を戻す。ＣＰＵ２１は、解除スイッチ１９を操作すると禁止された迎車スイッチ１７の操作を解除する。
【０１２１】
このようにして、本発明の実施形態に係る車載端末装置（タクシーメータ）１１は、複数の車両（タクシー）２に搭載されて複数の車両２に固有に割り当てられた車両識別情報を車両２の迎車を依頼する顧客が有する顧客端末装置（携帯端末）４１に出力可能な車載端末装置（タクシーメータ）１１であって、顧客端末装置４１から出力された顧客の迎車依頼情報をメールで受信する受信手段（例えば、ＣＰＵ２１、外部機器（通信モジュール）２７）と、受信手段（例えば、ＣＰＵ２１、外部機器（通信モジュール）２７）により受信されたメールの迎車依頼情報に基づいて顧客が依頼する迎車指定場所を生成して表示する表示手段（表示器）１２と、表示手段１２に表示された迎車指定場所に対する迎車依頼に応じる場合に操作される操作手段（迎車スイッチ）１７と、操作手段（迎車スイッチ）１７が操作された場合に、迎車依頼情報中の顧客端末装置４１のメールアドレスに対して車両識別情報を含む迎車可能情報をメールで出力する迎車可能情報出力手段（例えば、ＣＰＵ２１、外部機器（通信モジュール）２７）とを有する。
【０１２２】
また、本発明の実施形態に係る車載端末装置（タクシーメータ）１１は、操作手段（迎車スイッチ）１７は、車両が迎車状態であることを示す迎車タリフが割り当てられた操作スイッチ（迎車スイッチ）１７である。
【０１２３】
さらに、本発明の実施形態に係る車載端末装置（タクシーメータ）１１は、操作手段（迎車スイッチ）１７が操作された場合に、迎車可能情報に含まれる車両識別情報以外の車両識別情報を有する各車両２に搭載された車載端末装置１１にそれぞれ対応するメールアドレス宛に、前記迎車依頼に応じる旨を示す迎車応答情報をメールで出力する迎車応答情報出力手段（例えば、ＣＰＵ２１、外部機器（通信モジュール）２７）と、迎車応答情報出力手段（例えば、ＣＰＵ２１、外部機器（通信モジュール）２７）により出力された迎車応答情報の自メールアドレス宛のメールを受信する迎車応答情報受信手段（例えば、ＣＰＵ２１、外部機器（通信モジュール）２７）と、迎車応答情報受信手段（例えば、ＣＰＵ２１、外部機器（通信モジュール）２７）により迎車応答情報のメールが受信された場合に、迎車応答情報のメールの送信元の車両（２）が迎車依頼に応じたことを報知する報知手段（例えば、ＣＰＵ２１）とを更に有する。
【０１２４】
また、本発明の実施形態に係る車載端末装置（タクシーメータ）１１は、報知手段（例えば、ＣＰＵ２１）が報知を行った際に、報知対象の迎車依頼と同じ迎車依頼に関する迎車可能情報出力手段（例えば、ＣＰＵ２１、外部機器（通信モジュール）２７）による迎車可能情報の出力を禁止する出力禁止手段（例えば、ＣＰＵ２１）を更に有する。
【０１２５】
さらに、本発明の実施形態に係る車載端末装置（タクシーメータ）１１は、報知手段（例えば、ＣＰＵ２１）は、報知の際に、迎車可能情報出力手段（例えば、ＣＰＵ２１、外部機器（通信モジュール）２７）が迎車可能情報の出力を禁止したことを示す出力禁止情報を表示手段（表示器）１２に表示する。
【０１２６】
さらに、本発明の実施形態に係る迎車車両の配車方法は、迎車を依頼する顧客が携帯端末４１から入力した迎車依頼情報中に含まれる迎車位置情報に基づいて、顧客が依頼する迎車指定場所に迎車のタクシー２を配車するための方法であって、
迎車依頼情報を、各タクシー２にそれぞれ割り当てた固有のメールアドレス宛のメールによって、各タクシー２にそれぞれ搭載した車載端末装置（タクシーメータ）１１に送信するステップと、
各タクシー２の車載端末装置（タクシーメータ）１１により、自タクシー２に割り当てられた固有のメールアドレス宛のメールを受信するステップと、
受信したメールから抽出した迎車依頼情報中に含まれる迎車位置情報に基づいて、迎車指定場所を車載端末装置（タクシーメータ）１１の表示手段（表示器）１２に表示させるステップと、
迎車依頼に応じる操作手段（迎車スイッチ）１７の操作に呼応して、迎車依頼情報中に含まれる携帯端末４１のメールアドレス宛に、車両識別情報を含む迎車可能情報をメールで送信するステップとを含むことを特徴とする。
【０１２７】
また、本発明の実施形態に係る迎車車両の配車方法は、迎車依頼に応じる操作手段（迎車スイッチ）１７の操作に呼応して、迎車可能情報中に含まれる車両識別情報以外の車両識別情報を有する各タクシー２にそれぞれ対応するメールアドレス宛に、迎車依頼に応じる旨を示す迎車応答情報をメールで出力するステップと、迎車応答情報の自メールアドレス宛のメールを受信するステップと、受信した迎車応答情報のメールの送信元のタクシー２が迎車依頼に応じたことを報知するステップとを更に含むことを特徴とする。
【０１２８】
さらに、本発明の実施形態に係る迎車車両の配車方法は、迎車応答情報のメールの受信後に、迎車応答情報によって示される迎車依頼と同じ迎車依頼に関する迎車可能情報の、携帯端末４１のメールアドレス宛のメールによる送信を禁止するステップを更に含むことを特徴とする。
【０１２９】
そして、本発明の実施形態に係る車載端末装置（タクシーメータ）１１と迎車車両の配車方法によれば、顧客が携帯端末４１から入力した迎車依頼情報のメールが各タクシー２の車載端末装置（タクシーメータ）１１に固有のメールアドレス宛に送信されると、各タクシー２の車載端末装置（タクシーメータ）１１が自メールアドレス宛のメールをそれぞれ受信し、迎車依頼情報中の迎車指定場所を表示手段（表示器）１２に表示させる。
【０１３０】
迎車指定場所への迎車依頼に応じる操作を操作手段（迎車スイッチ）１７により行うと、車両識別情報を含む迎車可能情報が、迎車依頼情報中に含まれる携帯端末４１のメールアドレス宛にメールで送信される。
【０１３１】
したがって、顧客は迎車依頼情報を一度携帯端末４１から入力すれば、迎車依頼に応じるタクシーからの迎車可能情報のメールが届くまで、各タクシー２に個別に迎車依頼情報を送信する必要がない。
【０１３２】
また、タクシー２では、操作手段（迎車スイッチ）１７を操作すると、迎車依頼情報を出力した携帯端末４１に対して車両識別情報を含む迎車可能情報をメールで出力するため、簡単な操作で顧客に迎車可能情報のメールを出力することができ、また、短時間で迎車依頼に応じることができる。
【０１３３】
従って、迎車依頼に対する利便性を向上することができる。
【０１３４】
また、操作手段１７は、タクシー２が迎車状態であることを示す迎車タリフが割り当てられた操作スイッチ（迎車スイッチ）１７で構成されている。このため、車載端末装置（タクシーメータ）１１を迎車状態に切り替るとともに、携帯端末４１に車両識別情報を含む迎車可能情報をメールで出力することができる。
【０１３５】
このため、タクシー２の運転者が顧客の迎車依頼に応じる際に作業数を少なくすることができ、運転者の利便性を向上することができる。
【０１３６】
さらに、操作手段（迎車スイッチ）１７が操作された場合に、迎車可能情報のメールを携帯端末４１に出力したタクシー２以外のタクシー２に搭載された車載端末装置（タクシーメータ）１１に対して、迎車依頼に応じる旨を示す迎車応答情報をメールで出力する。
【０１３７】
そして、迎車可能情報のメールを携帯端末４１に出力したタクシー２以外のタクシー２では、車載端末装置（タクシーメータ）１１が迎車応答情報をメールで受信した場合に、迎車応答情報のメールの送信元のタクシー２が迎車依頼に応じたことを報知する。このため、そのタクシー２の運転者が迎車依頼に応じることができないことを容易に把握することができる。
【０１３８】
従って、迎車依頼に対する利便性を向上することができる。
【０１３９】
また、迎車応答情報をメールで受信したタクシー２では、車載端末装置（タクシーメータ）１１が迎車可能情報のメールを携帯端末４１に出力することを禁止する。このため、携帯端末４１に複数のタクシー２から迎車可能情報のメールが届くことがなく、さらに、迎車依頼に対する利便性を向上することができる。
【０１４０】
さらに、迎車可能情報のメールによる携帯端末４１への出力を禁止したことを示す出力禁止情報を表示手段（表示器）１２に表示して、他のタクシー２の車載端末装置（タクシーメータ）１１が迎車可能情報をメールで携帯端末４１に出力したことを報知する。このため、タクシー２の運転者は、表示手段（表示器）１２を視認することにより、迎車依頼に応じることができないことを容易に把握することができる。
【０１４１】
従って、迎車依頼に対する利便性を向上することができる。
【０１４２】
以上、本発明の車載端末装置（タクシーメータ）を図示の実施形態に基づいて説明したが、本発明はこれに限定されるものではなく、各部の構成は、同様の機能を有する任意の構成のものに置き換えることができる。
【０１４３】
例えば、上記した実施形態では、タクシーメータ１１がカーナビゲーション装置と無線公衆電話回線網によるデータ通信端末装置とを一体化した複合型のものである場合について説明したが、これに限定されない。
【０１４４】
例えば、タクシーメータが、カーナビゲーション装置と無線公衆電話回線網によるデータ通信端末装置とが別体であってもそれぞれが電気的に接続されていればよい。
【０１４５】
また、上述した実施形態では、顧客端末装置は、携帯電話４１である場合について説明したが、顧客端末装置は、インターネット接続可能な端末装置であれば固定された端末装置又は移動可能な端末装置であってもよい。
【０１４６】
さらに、上述した実施形態では、表示器１２に迎車可能情報の出力を禁止したことを示す出力禁止情報を表示する場合について説明したが、スピーカ等により車両の運転者に迎車可能情報の出力を禁止したことを報知してもよい。
【０１４７】
また、上述した実施形態では、解除ボタン１９により迎車可能情報の出力の禁止を解除する場合について説明したが、表示器１２をタッチパネル等で構成して、所定のアイコン等に触れることにより迎車可能情報の出力の禁止を解除してもよい。
【０１４８】
さらに、上述した実施形態では、顧客が入力した迎車依頼情報はアプリケーションで設定されたメールアドレスに送信される場合について説明したが、アプリケーションで設定されたプライベートアドレスのホームページにデータをパケット通信で送信してもよい。
【０１４９】
また、上述した実施形態では、タクシーメータ１１は、迎車依頼情報に含まれるメールアドレスに基づいて、携帯端末４１に迎車可能情報を直接メールで送信する場合について説明したが適宜変更が可能である。
【０１５０】
例えば、タクシーメータ１１が配車センター３に迎車可能情報をメールで送信して、配車センター３から携帯端末４１に迎車可能情報をメールで送信してもよい。
【０１５１】
さらに、上述した実施形態では、迎車可能情報に含まれる車両識別以外の車両識別情報を有する所定の車両に搭載されたタクシーメータ１１に対して、迎車情報に応じる迎車応答情報をメールで送信する場合について説明したが適宜変更が可能である。
【０１５２】
例えば、タクシーメータ１１が配車センター３に迎車応答情報を送信して、配車センター３から他のタクシー２のタクシーメータ１１に迎車可能情報をメールで送信してもよい。
【産業上の利用可能性】
【０１５３】
本発明は、迎車依頼に対する利便性を向上した車載端末装置と迎車車両の配車方法を提供する上で極めて有用である。
【符号の説明】
【０１５４】
１    配車方法
２    タクシー（車両）
１１  タクシーメータ（車載端末装置）
１２  表示器（ＬＣＤ）
１３  操作スイッチ
１４  空車スイッチ
１５  実車スイッチ
１６  割増スイッチ
１７  迎車スイッチ
１８  支払スイッチ
１９  貸切スイッチ
２０  解除スイッチ
２１  ＣＰＵ
２２  ＲＯＭ
２３  ＲＡＭ
２４  カードＲ／Ｗインタフェース
２５  メモリカード
２６  ＲＴＣ（時計ＩＣ）
２７  外部機器（通信モジュール）
２８  外部機器（プリンタ）
２９  位置情報取得手段（ＧＰＳ受信機器等）
３０  ＥＴＣ車載器
４１  携帯端末（顧客端末装置）
【図１】
0005731903.tif 000002
【図２】
0005731903.tif 000003
【図３】
0005731903.tif 000004
【図４】
0005731903.tif 000005
【図５】
0005731903.tif 000006
【図６】
0005731903.tif 000007